(57)【特許請求の範囲】
【請求項１】
筺体における開口部に対して選択的に開閉状態をとる蓋体に設けられる係合ピンと、
前記筺体の内周部における開口部の側端部に沿った位置であって前記係合ピンに対向配置され、前記蓋体が閉状態をとるとき、該係合ピンに選択的に係合される弾性変位可能な二股状の把持部を有する平板状のキャッチ部材と、
前記蓋体の内面部に前記キャッチ部材に対向して設けられ、該蓋体のスリット状の透孔を介して外部に突出する操作部およびコ字状の窪みを有する平板状のロックレバー部材と、を備え、
前記ロックレバー部材の窪みは、前記係合ピンが前記キャッチ部材の把持部に係合状態とされる場合、該把持部の外周部に係合状態とされ該係合ピンの該キャッチ部材の把持部に対する係合状態を維持し、前記操作部が操作されて前記係合ピンが前記キャッチ部材の把持部に対し非係合状態とされる場合、該ロックレバー部材の窪みは、該把持部の外周部に対し非係合状態とされ、該ロックレバー部材が引っ張られるとき、該係合ピンが該キャッチ部材の把持部に対し非係合状態となることを特徴とする筺体の扉用ロック装置。
【発明の詳細な説明】
【０００１】
【発明の属する技術分野】
本発明は、筺体における開口部に対して選択的に開閉状態がとられる扉部材を筺体に固定状態とする筺体の扉用ロック装置に関する。
【０００２】
【従来の技術】
電子機器を収容する筺体には、その電子機器の保守点検を行うために工具などを用いることなく選択的に容易に開閉状態がとられる扉部材が開口端部に回動可能に設けられている。扉部材と筺体との間には、扉部材をその開口端部に対して選択的に固定状態とするロック装置が設けられている。そのロック装置は、例えば、実公平５−２７６５０号公報にも示されるように、扉により覆われる筺体の開口端部の周縁部に被係合部が設けられ、また、蓋体としての扉の内面側部分に断面形状が矩形状の支持部材が設けられるもとで、その支持部材の内部に配されて支持部材により回動可能に支持され選択的にその被係合部に係合される係合部材と、係合部材と被係合部材との係合状態を保持、もしくは、解放し非係合状態とするロックレバー部材と、係合部材と被係合部材とを非係合状態とすべく、扉に設けられる透孔を介してロックレバー部材を回動させる操作部材と、操作部材の操作に応じて係合部材と被係合部材とを非係合状態とすべく係合部材を回動させるコイルスプリングとを含んで構成されている。
【０００３】
このように構成されることにより、扉が筺体の開口端部に対して閉状態とされる場合、操作部材が操作されるとき、ロックレバー部材が操作部材により押圧されて一方向に回動される。これにより、係合部材がコイルスプリングの付勢力により一方向に回動されて筺体の被係合部に対して非係合状態とされて扉が自動的に筺体の開口端部に対して開状態となる。
【０００４】
【発明が解決しようとする課題】
電子機器を収容する筺体においては、上述のようなロック装置が設けられる扉に計器などをその電子機器に関連して配置することが必要な場合がある。このような場合においては、計器、スイッチ装置などを配置する場所を確保するために扉におけるロック装置が占有する面積を極力小とすることが望まれる。
【０００５】
しかし、上述のようなロック装置においては、操作部材、コイルスプリング、断面形状が矩形状の支持部材などをそれぞれ含む複雑な構成とされるので小型化を図ることが容易でない。また、そのロック装置が扉の回動軸に対向する一方の側部に設けられる場合においては、扉の幅方向に沿った寸法をより小とすることが望まれる。
【０００６】
以上の問題点を考慮し、本発明は、筺体における開口部に対して選択的に開閉状態がとられる扉部材を筺体に固定状態とする筺体の扉用ロック装置であって、その構成が簡単な構成とされて小型化を容易に図ることができる筺体の扉用ロック装置を提供することを目的とする。
【０００７】
【課題を解決するための手段】
上述の目的を達成するために、本発明に係る筐体の扉用ロック装置は、筺体における開口部に対して選択的に開閉状態をとる蓋体に設けられる係合ピンと、筺体の内周部における開口部の側端部に沿った位置であって係合ピンに対向配置され、蓋体が閉状態をとるとき、係合ピンに選択的に係合される弾性変位可能な二股状の把持部を有する平板状のキャッチ部材と、蓋体の内面部にキャッチ部材に対向して設けられ、蓋体のスリット状の透孔を介して外部に突出する操作部およびコ字状の窪みを有する平板状のロックレバー部材と、を備え、ロックレバー部材の窪みは、係合ピンがキャッチ部材の把持部に係合状態とされる場合、把持部の外周部に係合状態とされ係合ピンのキャッチ部材の把持部に対する係合状態を維持し、操作部が操作されて係合ピンがキャッチ部材の把持部に対し非係合状態とされる場合、ロックレバー部材の窪みは、把持部の外周部に対し非係合状態とされ、ロックレバー部材が引っ張られるとき、係合ピンがキャッチ部材の把持部に対し非係合状態となることを特徴とする。
【００１０】
【発明の実施の形態】
図５および図６は、本発明に係る筺体の扉用ロック装置の一例が装備された筺体の外観を示す。
【００１１】
筺体２は、両側面をそれぞれ形成する側面部４Ａおよび４Ｂと、側面部４Ａおよび４Ｂの下端部にそれぞれ連結され底部を形成する底面部１６と、側面部４Ａおよび４Ｂの上端部にそれぞれ連結される連結部６Ａおよび６Ｂと、連結部６Ａと連結部６Ｂとの間に配され天井部を形成する天板部６とを含んで構成されている。
【００１２】
また、筺体２の前面部分においては、連結部６Ａ、側面部４Ａおよび４Ｂ、および、底面部１６により囲まれて形成される開口端部に、蓋体としての扉部材１２が設けられている。さらに、筺体２の背面部分には、連結部６Ｂ、側面部４Ａおよび４Ｂ、および、底面部１６により囲まれて形成される開口端部には、背面カバー部材１４が設けられている。
【００１３】
側面部４Ａおよび４Ｂの中央部分には、それぞれ、筺体２を支持する断面形状がＬ字状の支持具８Ａおよび８Ｂがそれぞれ下端部近傍に相対向して配置されている。
【００１４】
また、側面部４Ａおよび４Ｂの前方部分には、筺体２を所定の位置に固定するためのブラケット部材１０Ａおよび１０Ｂが相対向して配置されている。断面形状がＬ字状のブラケット部材１０Ａおよび１０Ｂにおいて扉部材１２の前面と同一平面上となる一方の端面には、それぞれ、固定用のボルトが挿入される取付孔１０ａおよび１０ｂが設けられている。ブラケット部材１０Ａおよび１０Ｂの内面側部分における上部には、図５および図７に示されるように、それぞれ、後述する扉部材１２が閉状態とされるとき、その内面部が当接される扉受け部材２４が相対向してビスにより固定されて設けられている。
【００１５】
背面カバー部材１４は、図７に示されるように、側面部４Ａおよび４Ｂの下端部にそれぞれ設けられる支持軸１４ｓにより回動可能に支持されている。これにより、背面カバー部材１４は、図７に実線で示されるように、筺体２の開口端部に対して閉状態から支持軸１４ｓを中心として筺体２の開口端部に対して図７に二点鎖線で示されるように、開状態をとることとなる。
【００１６】
また、背面カバー部材１４の上端部には、一対の突起状部材１４ｃが設けられている。突起状部材１４ｃは、側面部４Ａおよび４Ｂにそれぞれ設けられる支持受部（図７においては図示が省略される）と協働して選択的に背面カバー部材１４を、筺体２の開口端部に対して閉状態を保持するとともに筺体２の開口端部に対して図７に二点鎖線で示されるように、開状態をとらせるものとされる。
【００１７】
底面部１６における内面には、筺体２内に収容される電装品、例えば、複数のプリント基板が積み重ねられたプリント基板群２０を支持する支持台１８が設けられている。
【００１８】
扉部材１２の前面には、後述する支持部材２６Ａおよび２６Ｂの支持面に沿った位置に、所定の長さおよび幅を有するスリット状の切欠部１２Ａおよび１２Ｂが形成されている。
【００１９】
扉部材１２の両端部の内面側には、図３および図６に示されるように、それぞれ、筺体２の開口端部の短辺に沿って伸びる支持部材２６Ａおよび２６Ｂが設けられている。扉部材１２の内面側における支持部材２６Ａと支持部材２６Ｂとの間には、図５に示されるように例えば、計器ユニット５２が固定される。支持部材２６Ａおよび２６Ｂには、それぞれ、図７に示すように、扉部材１２が筺体２の開口端部に対して開状態がとられるとき、プリント基板群２０と扉部材１２に配される計器類との配線を短くするために扉部材１２を筺体２の開口端部に対して前方に向かって離隔した状態で保持するスライド保持機構部２８Ａおよび２８Ｂが設けられている。スライド保持機構部２８Ａおよび２８Ｂは、双方、同様な構造とされるのでスライド保持機構部２８Ｂについてのみ説明し、スライド保持機構部２８Ａについての説明は省略する。
【００２０】
スライド保持機構部２８Ｂは、図３、図４、および、図７に示されるように、扉部材１２における支持部材２６Ｂの下端部に連結ビス２２により相対的に回動可能に連結されるスライドレール部材３０と、スライドレール部材３０の外周部を案内する案内溝３２ａを有する案内部材３２と、案内部材３２の一方の端面と筺体２におけるブラケット部材１０Ｂの内面との間に配されブラケット部材１０Ｂにビスにより固定される基台３４とを含んで構成されている。
【００２１】
スライドレール部材３０は、筺体２の前後方向に沿って伸びる長孔３０ａを有している。また、スライドレール部材３０は、図７に二点鎖線で示されるように、その長孔３０ａを貫通し基台３４に固定されるストッパ部材３６が長孔３０ａの一端に係合されることにより案内部材３２の案内溝３２ａからの脱落が規制されることとなる。これにより、扉部材１２が筺体２の開口端部に対して開状態とされる場合、扉部材１２はそのスライドレール部材３０が案内溝３２ａに沿って案内されて前方に向かって移動された後ストッパ部材３６が長孔３０ａの一端に係合される。そして、扉部材１２が筺体２の開口端部に対して離隔した状態で、図７に二点鎖線で示される状態となるように、扉部材１２がスライドレール部材３０に対して時計方向に回動される。
【００２２】
加えて、扉部材１２の両端部の内面側には、それぞれ、扉部材１２を筺体２の開口端部に対して選択的に固定するロック装置４０Ａおよび４０Ｂが設けられている。ロック装置４０Ａおよび４０Ｂは、双方、同様な構造とされるのでロック装置４０Ｂについて説明しロック装置４０Ａの説明を省略する。
【００２３】
ロック装置４０Ｂは、図２および図３に示されるように、係合部４４ａを有し扉部材１２の支持部材２６Ｂにおける支持軸４６に回動可能に支持されるロックレバー部材４４と、ロックレバー部材４４が図２に実線で示されるように回転されるとき、支持部材２６Ｂの支持軸４６の下方部分における係合部４４ａに対応する位置にその支持面に対し略垂直に設けられる係合ピン４２と、ブラケット部材１０Ｂの内面における係合ピン４２に対応した位置に基台５０を介してブラケット部材１０Ｂの内面にビスＢＳで固定されて設けられる被係合部材としてのキャッチ部材４８とを含んで構成されている。
【００２４】
ロックレバー部材４４は、図３に示されるように例えば、薄鋼板で平板状に作られており、扉部材１２の前面における切欠部１２Ｂの幅よりも小なる厚さを有している。ロックレバー部材４４は、その上部に支持軸４６が挿入される透孔４４ｃが設けられている。ロックレバー部材４４における透孔４４ｃが設けられる部分よりも扉部材１２の前面に近い部分には、切欠部１２Ｂを介して外部に突出する突起部４４ｂが設けられている。また、ロックレバー部材４４における透孔４４ｃが設けられる部分よりも下方部分には、例えば、コ字状の窪みである係合部４４ａが形成されている。係合部４４ａの上下方向に沿った幅、および、深さは、それぞれ、ロックレバー部材４４に対向し後述するキャッチ部材４８の把持部４８Ａの高さおよび幅と略同一の長さとされる。
【００２５】
キャッチ部材４８は、樹脂材料、例えば、ポリアセタール樹脂材料で平板状に成形されている。キャッチ部材４８は、図２に示されるように支持部材２６Ｂにおける係合ピン４２に係合される把持部４８Ａと、ビスＢＳにより基台５０に固定される固定部４８Ｂとから構成されている。把持部４８Ａは、係合ピン４２が係合される円弧部４８ａを有している。また、その円弧部４８ａの一部は、係合ピン４２の直径よりも小であって係合ピン４２が挿入される切欠を有するとともに固定部４８Ｂに設けられるスリット部４８ｂに連なっている。
【００２６】
これにより、係合ピン４２が把持部４８Ａの切欠に挿入されて円弧部４８ａに係合される場合、二股状に形成された把持部４８Ａは、一旦、押し広げられた後その弾性力によりもとの状態に戻り係合ピン４２を把持することとなる。一方、係合ピン４２が扉部材１２に伴って前方に向かって移動し把持部４８Ａの円弧部４８に対して非係合状態とされる場合、把持部４８Ａは、同様に一旦、押し広げられた後その弾性力によりもとの状態に戻ることとなる。
【００２７】
固定部４８Ｂは、図２および図４に示されるようにスリット部４８ｂとの共通の仮想直線上にビスＢＳが挿入される透孔４８ｃ、および、基台５０における相互接触面に設けられる凹部に係合される突起部４８ｄが設けられている。
【００２８】
かかる構成のもとで、ロックレバー部材４４の係合部４４ａが図２に実線で示されるように、キャッチ部材４８の把持部４８Ａに係合されるとき、ロック装置４０Ｂがロック状態とされ、一方、ロックレバー部材４４の係合部４４ａが図２に二点鎖線で示されるように、キャッチ部材４８の把持部４８Ａに対し離脱されるとき、ロック装置４０Ｂがアンロック状態とされる。
【００２９】
従って、扉部材１２が筺体２の開口端部に対して閉状態から開状態となるにあたっては、ロック装置４０Ａおよび４０Ｂがロック状態からアンロック状態とされる。
【００３０】
即ち、ロックレバー部材４４の係合部４４ａが図２に実線で示されるように、キャッチ部材４８の把持部４８Ａに係合される状態のもとで、先ず、操作部の一部としてのロックレバー部材４４の突起部４４ｂが図２に二点鎖線で示されるように、反時計方向に押圧されるとき、ロックレバー部材４４の係合部４４ａがキャッチ部材４８の把持部４８Ａに対して非係合状態とされて操作部としてのロックレバー部材４４の一部がスリット部１２Ａおよび１２Ｂを介して外部に突出される。
【００３１】
次に、スリット部１２Ａおよび１２Ｂを介して外部に突出されたロックレバー部材４４の一部がさらに図８の（Ａ）に示されるように、回転された後、続いて、外部に突出されたロックレバー部材４４の一部が図８の（Ｂ）の矢印Ｆが示す方向に、引っ張られる。これにより、キャッチ部材４８の把持部４８Ａが押し広げられて係合ピン４２がキャッチ部材４８の把持部４８Ａに対して離脱し始める。
【００３２】
そして、外部に突出されたロックレバー部材４４の一部がさらに引っ張られるとき、図８の（Ｃ）に示されるように、係合ピン４２が把持部４８Ａの円弧部４８ａに対して非係合状態とされる。これにより、ロック装置４０Ａおよび４０Ｂがロック状態からアンロック状態とされることとなる。
【００３３】
その後、図１に示されるように、スライドレール部材３０が案内部材３２の案内溝３２ａに沿って摺動されることにより扉部材１２が筺体２の開口端部に対して離隔し閉状態から開状態となる。
【００３４】
続いて、スライドレール部材３０の長孔３０ａの一端にストッパ部材３６が係合され、かつ、筺体２の開口端部から突出されるスライドレール部材３０の後端部における斜面部が案内溝３２ａに係合されるとき、図７に二点鎖線で示されるように、スライドレール部材３０の先端部が斜め下方に向かって傾けられ、扉部材１２が連結ビス２２の軸心を中心としてスライドレール部材３０に対して回動されることとなる。
【００３５】
扉部材１２が筺体２の開口端部に対して開状態から閉状態となるにあたっては、ロック装置４０Ａおよび４０Ｂがアンロック状態からロック状態とされる。かかる場合にあっては、先ず、上述とは反対に扉部材１２に伴ってスライドレール部材３０は、その長孔３０ａの他端がストッパ部材３６に係合されるまで案内部材３２の案内溝３２ａに沿って摺動される。次に、扉部材１２が連結ビス２２の軸心を中心としてスライドレール部材３０に対して図１において反時計方向に回動される。続いて、図８の（Ａ）に示されるように、扉部材１２がさらに回動されることにより係合ピン４２がキャッチ部材４８の把持部４８Ａに係合される。そして、ロックレバー部材４４が図２において、キャッチ部材４８の把持部４８Ａに向かって支持軸４６の軸心を中心として時計方向に回転される。
【００３６】
これにより、ロックレバー部材４４の係合部４４ａが、係合ピン４２が係合されたキャッチ部材４８の把持部４８Ａの外周部に係合されることによりロック装置４０Ａおよび４０Ｂがロック状態とされる。
【００３７】
従って、ロックレバー部材４４およびキャッチ部材４８が平板状に形成されるので比較的狭い空間部とされる扉部材１２の両側部が有効に利用されてロック装置４０Ａおよび４０Ｂが配置されることとなる。その結果、ロック装置４０Ａおよび４０Ｂが異なる種類の筺体に対しても装備されることが可能となりロック装置４０Ａおよび４０Ｂの標準化が促進されることとなる。
【００３８】
また、操作部の一部としての突起部４４ｂがロックレバー部材４４と一体に形成されるものなのでロック装置４０Ａおよび４０Ｂの構成が簡略化されることとなる。
【００３９】
さらに、スリット部１２Ａおよび１２Ｂを介して突出される突起部４４ｂが操作されロックレバー部材４４が引っ張られることによりロック装置４０Ａおよび４０Ｂがコイルスプリングなどの部品を用いることなく容易にアンロック状態とされることとなる。
【００４０】
なお、上述の例においては、扉部材１２は、その下端部が回動可能に支持されるものであるが、かかる例に限られることなく、扉部材は、その一方の側端部が回動可能に支持される、所謂、前面横開きのものであってもよい。
【００４１】
【発明の効果】
以上の説明から明らかなように、本発明に係る筐体の扉用ロック装置によれば、係合ピンと、弾性変位可能な二股状の把持部を有する平板状のキャッチ部材と、操作部およびコ字状の窪みを有する平板状のロックレバー部材と、を備え、ロックレバー部材の窪みは、係合ピンがキャッチ部材の把持部に係合状態とされる場合、把持部の外周部に係合状態とされ係合ピンのキャッチ部材の把持部に対する係合状態を維持し、操作部が操作されて係合ピンがキャッチ部材の把持部に対し非係合状態とされる場合、ロックレバー部材の窪みは、把持部の外周部に対し非係合状態とされ、ロックレバー部材が引っ張られるとき、係合ピンがキャッチ部材の把持部に対し非係合状態となるので係合ピンおよびキャッチ部材を確実にロック状態とすることができ、しかも、ロック装置の構成が簡単な構成とされ、その小型化を容易に図ることができる。
【００４２】
また、キャッチ部材およびロックレバー部材が平板状に形成されるので比較的狭い空間部とされる蓋体の両側部を有効に利用でき、従って、係合ピン、キャッチ部材、およびロックレバー部材からなるロック装置を比較的狭い空間内に配置することができる。
【図面の簡単な説明】
【図１】本発明に係る筺体の扉用ロック装置の一例の要部を、それが装備された筺体とともに示す部分斜視図である。
【図２】本発明に係る筺体の扉用ロック装置の一例の要部を示す部分断面図である。
【図３】図２に示される例における正面図である。
【図４】図２に示される例における正面図である。
【図５】本発明に係る筺体の扉用ロック装置の一例が装備された筺体の外観を示す平面図である。
【図６】図５に示される筺体の外観の正面図である。
【図７】図５に示される筺体の内部を示す断面図である。
【図８】（Ａ）、（Ｂ）、（Ｃ）は、本発明に係る筺体の扉用ロック装置の一例の動作説明に供される図である。
【符号の説明】
２  筺体
１２  扉部材
１２Ａ、１２Ｂ  スリット部
４２  係合ピン
４４  ロックレバー部材
４４ｂ  突起部
４８  キャッチ部材
４８Ａ  把持部
【図１】
0003782526.tif 000002
【図２】
0003782526.tif 000003
【図３】
0003782526.tif 000004
【図４】
0003782526.tif 000005
【図５】
0003782526.tif 000006
【図６】
0003782526.tif 000007
【図７】
0003782526.tif 000008
【図８】
0003782526.tif 000009